(57)【特許請求の範囲】
【請求項１】
左右一対の内プレートに前後一対のブシュを圧入嵌合してなる内リンクユニットがチェーン幅方向に２枚の中間プレートを介して並列配置されているとともに、前記内リンクユニットが前記中間プレートのピン孔とチェーン幅方向の最も外側に配置された外プレートの前後一対のピン孔とにそれぞれ圧入嵌合する前後一対の連結ピンによりチェーン長手方向に多数連結され、前記ブシュの内周面と連結ピンの外周面との間に潤滑油を封入してなる無給油多列チェーンであって、
前記潤滑油を外プレートの内側面と該外プレートに対向する内プレートの外側面との間で漏出抑制する第１油溜り用ラビリンス構造が、前記内プレートの外側面から一部突出したブシュ突出端部を前記外プレートの内側面を凹陥させて外側面に膨出させたオフセット状態の第１ブシュ軸支用環状凹部で囲繞支持することで形成されているとともに、
前記潤滑油を中間プレートの内側面と該中間プレートに対向する内プレートの外側面との間で漏出抑制する第２油溜り用ラビリンス構造が、前記内プレートの外側面から一部突出したブシュ突出端部を前記中間プレートの内側面を凹陥させて外側面へ膨出させたオフセット状態の第２ブシュ軸支用環状凹部で囲繞支持することで形成されていることを特徴とする無給油多列チェーン。
【請求項２】
左右一対の内プレートに前後一対のブシュを圧入嵌合してなる内リンクユニットがチェーン幅方向に２枚の中間プレートを介して並列配置されているとともに、前記内リンクユニットが前記中間プレートのピン孔とチェーン幅方向の最も外側に配置された外プレートの前後一対のピン孔とにそれぞれ圧入嵌合する前後一対の連結ピンによりチェーン長手方向に多数連結され、前記ブシュの内周面と連結ピンの外周面との間に潤滑油を封入してなる無給油多列チェーンであって、
前記潤滑油を外プレートの内側面と該外プレートに対向する内プレートの外側面との間で漏出抑制する第１油溜り用ラビリンス構造が、前記内プレートの外側面から一部突出したブシュ突出端部を前記外プレートの外側面を凹陥させて内側面に膨出させたオフセット状態の第１ブシュ軸支用環状膨出部で囲繞支持することで形成されているとともに、
前記潤滑油を中間プレートの内側面と該中間プレートに対向する内プレートの外側面との間で漏出抑制する第２油溜り用ラビリンス構造が、前記内プレートの外側面から一部突出したブシュ突出端部を前記中間プレートの外側面を凹陥させて内側面へ膨出させたオフセット状態の第２ブシュ軸支用環状膨出部で囲繞支持することで形成されていることを特徴とする無給油多列チェーン。
【発明の詳細な説明】
【技術分野】
【０００１】
本発明は、大きな動力を伝達するために用いられる多列チェーンに係るものであって、特に、左右一対の内プレートに前後一対のブシュを圧入嵌合してなる内リンクユニットがチェーン幅方向に中間プレートを介して並列配置されているとともに、前記内リンクユニットがチェーン幅方向の最も外側に配置された外プレートのピン孔に圧入嵌合する連結ピンにより多数連結され、前記ブシュと連結ピンとの間に潤滑油を封入してなる無給油多列チェーンに関するものである。
【背景技術】
【０００２】
一般に、動力伝達負荷の大きな伝動機構には、複数のチェーンをチェーン幅方向に並列配置して一体化するなどして高強度化した多列チェーンが用いられている。
そして、このような従来の高強度化した多列チェーンとして、左右一対の離間した内プレートに前後一対のブシュを圧入嵌合して組み付けた内リンクユニットが左右一対の隣接した中間プレートを介してチェーン幅方向に並列配置されているとともに、前記内リンクユニットがチェーン幅方向の最も外側に配置された外プレートに圧入嵌合する連結ピンでチェーン長手方向に多数連結されている多列チェーンが知られている（例えば、特許文献１を参照。）。そして、このような多列チェーンでは、ブシュと連結ピンとの間で生じる摺接摩耗を抑制してチェーン摩耗伸びを防止するために、Ｏリングなどのシール部材を外プレートと内プレートとの間および中間プレートと内プレートとの間に押圧状態で配設してブシュと連結ピンとの間に注入された潤滑油の外部漏出を防止することが一般に行われている。
【特許文献１】特開平１１−１３２２９５号公報（第４欄、図１１参照）
【発明の開示】
【発明が解決しようとする課題】
【０００３】
ところが、前述したような従来の多列チェーンでは、シール部材が外プレートと内プレートとの間および中間プレートと内プレートとの間に押圧状態で配置されているために、このような押圧状態の押圧力によって、外プレートと内プレートとの間および中間プレートと内プレートとの間の相対的な屈曲抵抗、すなわち、チェーン自体の屈曲抵抗が大きくなるという問題があった。
【０００４】
また、シール部材が外プレート、内プレート、中間プレートなどに対して摺接摩耗することよって生じるシール効果の低下を防止するために、シール部材と接触する外プレートの内側面、中間プレートの内側面、および、内プレートの外側面の表面粗さを小さくする表面仕上げ加工を施す必要があり、その表面仕上げ加工の加工負担が増加するという問題があった。
【０００５】
そして、シール部材を基本的なチェーン構成部品である外プレートと内プレートとの間および中間プレートおよび内プレートとの間に設けているので、チェーンの部品点数、組立工数が多くなり、チェーンの組立性が悪くなるという問題があった。
【０００６】
そこで、本発明は、従来の問題を解決するものであって、すなわち、本発明の目的は、左右一対の内プレートに前後一対のブシュを圧入嵌合してなる内リンクユニットがチェーン幅方向に２枚の中間プレートを介して並列配置されているとともに、内リンクユニットが中間プレートのピン孔とチェーン幅方向の最も外側に配置された外プレートの前後一対のピン孔とにそれぞれ圧入嵌合する前後一対の連結ピンによりチェーン長手方向に多数連結され、ブシュの内周面と連結ピンの外周面との間に潤滑油を封入してなる無給油多列チェーンにおいて、プレート強度の低下とチェーン部品点数の増加を回避しつつチェーン製造負担を大幅に軽減し、チェーン稼動時にブシュの内周面と連結ピンの外周面との間に封入された潤滑油を外プレート側と中間プレート側とで封止するとともに潤滑油の漏出と外部塵埃の侵入を抑制することである。
【課題を解決するための手段】
【０００７】
請求項１に係る本発明は、左右一対の内プレートに前後一対のブシュを圧入嵌合してなる内リンクユニットがチェーン幅方向に２枚の中間プレートを介して並列配置されているとともに、前記内リンクユニットが前記中間プレートのピン孔とチェーン幅方向の最も外側に配置された外プレートの前後一対のピン孔とにそれぞれ圧入嵌合する前後一対の連結ピンによりチェーン長手方向に多数連結され、前記ブシュの内周面と連結ピンの外周面との間に潤滑油を封入してなる無給油多列チェーンであって、前記潤滑油を外プレートの内側面と該外プレートに対向する内プレートの外側面との間で漏出抑制する第１油溜り用ラビリンス構造が、前記内プレートの外側面から一部突出したブシュ突出端部を前記外プレートの内側面を凹陥させて外側面に膨出させたオフセット状態の第１ブシュ軸支用環状凹部で囲繞支持することで形成されているとともに、前記潤滑油を中間プレートの内側面と該中間プレートに対向する内プレートの外側面との間で漏出抑制する第２油溜り用ラビリンス構造が、前記内プレートの外側面から一部突出したブシュ突出端部を前記中間プレートの内側面を凹陥させて外側面へ膨出させたオフセット状態の第２ブシュ軸支用環状凹部で囲繞支持することで形成されていることにより、前述した課題を解決したものである。
【０００８】
請求項２に係る本発明は、左右一対の内プレートに前後一対のブシュを圧入嵌合してなる内リンクユニットがチェーン幅方向に２枚の中間プレートを介して並列配置されているとともに、前記内リンクユニットが前記中間プレートのピン孔とチェーン幅方向の最も外側に配置された外プレートの前後一対のピン孔とにそれぞれ圧入嵌合する前後一対の連結ピンによりチェーン長手方向に多数連結され、前記ブシュの内周面と連結ピンの外周面との間に潤滑油を封入してなる無給油多列チェーンであって、前記潤滑油を外プレートの内側面と該外プレートに対向する内プレートの外側面との間で漏出抑制する第１油溜り用ラビリンス構造が、前記内プレートの外側面から一部突出したブシュ突出端部を前記外プレートの外側面を凹陥させて内側面に膨出させたオフセット状態の第１ブシュ軸支用環状膨出部で囲繞支持することで形成されているとともに、前記潤滑油を中間プレートの内側面と該中間プレートに対向する内プレートの外側面との間で漏出抑制する第２油溜り用ラビリンス構造が、前記内プレートの外側面から一部突出したブシュ突出端部を前記中間プレートの外側面を凹陥させて内側面へ膨出させたオフセット状態の第２ブシュ軸支用環状膨出部で囲繞支持することで形成されていることにより、前述した課題を解決したものである。            
【０００９】
なお、本発明の無給油多列チェーンで言うところの「オフセット状態」とは、ブシュ軸支用環状凹部およびブシュ軸支用環状膨出部とそれ以外のプレート部分とがプレート厚み方向にずれて段差状を呈している状態を意味している。
また、本発明の無給油多列チェーンで言うところの「内プレートの内側面」とは、組み込まれた内リンクユニットの内側に面した側面を意味しており、「内プレートの外側面」とは、組み込まれた内リンクユニットの外側に面した側面を意味している。
また、本発明の無給油多列チェーンで言うところの「外プレートの内側面」とは、チェーンの内側に面した側面を意味しており、「外プレートの外側面」とは、チェーンの外側に面した側面を意味している。
また、本発明の無給油多列チェーンで言うところの「中間プレートの内側面」とは、最も近接する内リンクユニット側に面した側面を意味しており、「中間プレートの外側面」とは、隣接配置された中間プレート側に面した側面を意味している。
【発明の効果】
【００１０】
そこで、本発明は、左右一対の内プレートに前後一対のブシュを圧入嵌合してなる内リンクユニットがチェーン幅方向に２枚の中間プレートを介して並列配置されているとともに、内リンクユニットが中間プレートのピン孔とチェーン幅方向の最も外側に配置された外プレートの前後一対のピン孔とにそれぞれ圧入嵌合する前後一対の連結ピンによりチェーン長手方向に多数連結され、ブシュの内周面と連結ピンの外周面との間に潤滑油を封入してなることにより、外部からの無給油状態で長期にわたってチェーン駆動することができる。
【００１１】
そして、本発明の無給油多列チェーンによれば、潤滑油を外プレート側で封止する第１油溜り用ラビリンス構造が、前記連結ピンを圧入嵌合させた外プレートの内側面と該外プレートに対向してブシュ突出端部を一部突出させた内プレートの外側面との間に形成されているとともに、前記潤滑油を中間プレート側で封止する第２油溜り用ラビリンス構造が、前記連結ピンを圧入嵌合させた中間プレートの内側面と該中間プレートに対向してブシュ突出端部を一部突出させた内プレートの外側面との間に形成されていることにより、このような第１油溜り用ラビリンス構造と第２油溜り用ラビリンス構造とが、複雑に屈曲した形状によって油溜り機能を発揮して、チェーン走行時の周回走行によって生じる遠心力などに起因したブシュの内周面と連結ピンの外周面との間に封入された潤滑油の外部漏出を抑制するとともに外部塵埃の侵入を抑制するので、ブシュの内周面と連結ピンの外周面の摩耗損傷を低減してチェーン摩耗伸びを長期に亘って防止できる。
さらに、連結ピンを中間プレートのピン孔に対して圧入嵌合、所謂、シマリ嵌めして組み付けたことにより、チェーン強度を向上できるとともに２枚の中間プレートの間から潤滑油が外部に漏出することを防止できるばかりでなく、以下のような特有の効果を奏することができる。
【００１２】
特に、請求項１に係る本発明の無給油多列チェーンによれば、第１油溜り用ラビリンス構造が、内プレートの外側面から一部突出したブシュ突出端部を外プレートの内側面を凹陥させて外側面に膨出させたオフセット状態の第１ブシュ軸支用環状凹部で囲繞支持することで形成されているとともに、第２油溜り用ラビリンス構造が、内プレートの外側面から一部突出したブシュ突出端部を中間プレートの内側面を凹陥させて外側面へ膨出させたオフセット状態の第２ブシュ軸支用環状凹部で囲繞支持することで形成されていることにより、これら第１油溜り用ラビリンス構造および第２油溜り用ラビリンス構造が、複雑に屈曲した形状によって油溜り機能を発揮して、チェーン走行時の周回走行によって生じる遠心力などに起因したブシュの内周面と連結ピンの外周面との間に封入された潤滑油の外部漏出を抑制するとともに外部塵埃の侵入を抑制するので、ブシュの内周面と連結ピンの外周面の摩耗損傷を低減してチェーン摩耗伸びを長期に亘って防止できる。
【００１３】
また、第１ブシュ軸支用環状凹部および第２ブシュ軸支用環状凹部が、外プレートおよび中間プレートの内側面を凹陥させて外側面へ膨出させたオフセット状態で形成されていることにより、第１ブシュ軸支用環状凹部および第２ブシュ軸支用環状凹部の断面係数とそれ以外のプレート部分の断面係数とが同程度となるので、第１ブシュ軸支用環状凹部および第２ブシュ軸支用環状凹部を形成することによる外プレートおよび中間プレートの強度低下を抑制できるとともに、外プレートおよび中間プレートのプレス打ち抜き加工を行う際に、外プレートおよび中間プレートの内側面を凹陥させて外側面へ膨出させる形状の金型を用いるだけで、外プレートおよび中間プレートの打ち抜き加工と第１ブシュ軸支用環状凹部および第２ブシュ軸支用環状凹部の形成加工とを同時に行うことができるので、外プレートおよび中間プレートの打ち抜き加工とは別途に第１ブシュ軸支用環状凹部および第２ブシュ軸支用環状凹部を形成する研削やミーリング等の機械加工を外プレートおよび中間プレートに施す必要がなく、チェーンの製造負担を軽減できる。
【００１４】
また、外プレートと内プレートとの間および中間プレートと内プレートとの間には、従来の多列チェーンのような押圧状態で配置したシール部材を別部品として設けていないので、チェーン稼動時に円滑に屈曲して周回走行するとともにチェーン部品点数の増加を回避できる。
【００１５】
また、従来の多列チェーンでは、シール部材の摺接摩耗を防止して潤滑油の密封性を維持するために、シール部材と接触する外プレートの内側面、中間プレートの内側面、および、内プレートの外側面に表面粗さを小さくする表面仕上げ加工を施す必要があったが、本発明の無給油多列チェーンでは、従来のような表面仕上げ加工を施す必要がなく、チェーンの製造負担を軽減できる。
【００１６】
また、請求項２に係る本発明の無給油多列チェーンによれば、第１油溜り用ラビリンス構造が、内プレートの外側面から一部突出したブシュ突出端部を外プレートの外側面を凹陥させて内側面に膨出させたオフセット状態の第１ブシュ軸支用環状膨出部で囲繞支持することで形成されているとともに、第２油溜り用ラビリンス構造が、内プレートの外側面から一部突出したブシュ突出端部を中間プレートの外側面を凹陥させて内側面へ膨出させたオフセット状態の第２ブシュ軸支用環状膨出部で囲繞支持することで形成されていることにより、これら第１油溜り用ラビリンス構造および第２油溜り用ラビリンス構造が、複雑に屈曲した形状によって油溜り機能を発揮して、チェーン走行時の周回走行によって生じる遠心力などに起因したブシュの内周面と連結ピンの外周面との間に封入された潤滑油の外部漏出を抑制するとともに外部塵埃の侵入を抑制するので、ブシュの内周面と連結ピンの外周面の摩耗損傷を低減してチェーン摩耗伸びを長期に亘って防止できる。
【００１７】
また、第１ブシュ軸支用環状膨出部および第２ブシュ軸支用環状膨出部が、外プレートおよび中間プレートの外側面を凹陥させて内側面へ膨出させたオフセット状態で形成されていることにより、第１ブシュ軸支用環状膨出部および第２ブシュ軸支用環状膨出部の断面係数とそれ以外のプレート部分の断面係数とが同程度となるので、第１ブシュ軸支用環状膨出部および第２ブシュ軸支用環状膨出部を形成することによる外プレートおよび中間プレートの強度低下を抑制できるとともに、外プレートおよび中間プレートのプレス打ち抜き加工を行う際に、外プレートおよび中間プレートの外側面を凹陥させて内側面へ膨出させる形状の金型を用いるだけで、外プレートおよび中間プレートの打ち抜き加工と第１ブシュ軸支用環状膨出部および第２ブシュ軸支用環状膨出部の形成加工とを同時に行うことができるので、外プレートおよび中間プレートの打ち抜き加工とは別途に第１ブシュ軸支用環状膨出部および第２ブシュ軸支用環状膨出部を形成する研削やミーリング等の機械加工を外プレートおよび中間プレートに施す必要がなく、チェーンの製造負担を軽減できる。
【００１８】
また、外プレートと内プレートとの間および中間プレートと内プレートとの間には、従来の多列チェーンのような押圧状態で配置したシール部材を別部品として設けていないので、チェーン稼動時に円滑に屈曲して周回走行するとともにチェーン部品点数の増加を回避できる。
【００１９】
また、従来の多列チェーンでは、シール部材の摺接摩耗を防止して潤滑油の密封性を維持するために、シール部材と接触する外プレートの内側面、中間プレートの内側面、および、内プレートの外側面に表面粗さを小さくする表面仕上げ加工を施す必要があったが、本発明の無給油多列チェーンでは、従来のような表面仕上げ加工を施す必要がなく、チェーンの製造負担を軽減できる。
【発明を実施するための最良の形態】
【００２０】
本発明は、左右一対の内プレートに前後一対のブシュを圧入嵌合してなる内リンクユニットがチェーン幅方向に２枚の中間プレートを介して並列配置されているとともに、内リンクユニットがチェーン幅方向の最も外側に配置された外プレートの前後一対のピン孔に圧入嵌合する前後一対の連結ピンによりチェーン長手方向に多数連結され、ブシュの内周面と連結ピンの外周面との間に潤滑油を封入してなる無給油多列チェーンにおいて、潤滑油を外プレート側で封止する第１油溜り用ラビリンス構造が、外プレートの内側面と該外プレートに対向する内プレートの外側面との間に形成されているとともに、潤滑油を中間プレート側で封止する第２油溜り用ラビリンス構造が、中間プレートの内側面と該中間プレートに対向する内プレートの外側面との間に形成されて、プレート強度の低下とチェーン部品点数の増加を回避しつつチェーン製造負担を大幅に軽減し、チェーン稼動時にブシュの内周面と連結ピンの外周面との間に封入された潤滑油を外プレート側と中間プレート側とで封止するとともに潤滑油の漏出と外部塵埃の侵入を抑制するものであれば、その具体的な実施の形態は如何なるものであっても何ら構わない。
【００２１】
すなわち、本発明の無給油多列チェーンで用いる内プレート、外プレート、および、中間プレートの具体的な形状については、小判型、ひょうたん型のいずれであっても良い。
また、本発明の無給油多列チェーンにおいてチェーン幅方向に並列配置する内リンクユニットの列数は、通常、２列乃至３列であるが、それ以上であっても差し支えない。
さらに、本発明の無給油多列チェーンは、ブシュチェーン、ローラチェーンのいずれのものがその対象であっても差し支えないが、ブシュチェーンの場合には、比較的動力伝達速度が遅くチェーンに負荷される荷重が小さい動力伝達時に最適であり、ローラチェーンの場合には、スプロケットとの噛み合いが円滑となるため、チェーンの摩耗を防止することができる。
【００２２】
また、本発明の無給油多列チェーンに組み込まれる中間プレートの具体的な形状については、内プレートおよび外プレートと同一若しくは小さなプレート幅寸法で形成されていれば良く、中間プレートが内プレートおよび外プレートより小さなプレート幅寸法で形成されている場合には、両側から挟むタイプのチェーンガイドに走行させた場合、内プレートおよび外プレートのみの高さであるので安定して走行でき、しかも、チェーン全体の軽量化に寄与する。
【００２３】
また、本発明の無給油多列チェーンに組み込まれるブシュの具体的な態様については、一般に採用されている円筒形状のもの、あるいは、この円筒形状の内部に無数の気孔を有するように金属粉末を圧縮成形して融解点以下の温度で焼結することで得られた多孔質材に潤滑油を含浸させた焼結含油金属材料からなるものなどのいずれであっても良く、さらに、焼結含油金属材料から成形されたものにあっては、焼結含油金属材料の焼結密度やその原料となる金属粉末の具体的な種類や組み合わせは如何なるものであっても良く、特に、焼結含油金属材料が、鉄、銅、ニッケル、クロムモリブデン鋼などを配合してなる混合金属粉末を圧縮形成するとともに６．０ｇ／ｃｍ３〜７．０ｇ／ｃｍ３の焼結密度で焼結することで成形されている場合には、ブシュがチェーン張力に起因する剪断力および衝撃力を受けるための強靱性能や多くの潤滑油を含浸させて長期に亘って連結ピンとブシュとの間に潤滑油を供給する含油性能および徐放性能の両方をバランス良く兼ね備えて充分に発揮できる。
【００２４】
また、本発明の無給油多列チェーンにおいて用いられる潤滑油の具体的な種類については、ポリαオレフィン、ポリオールエステル、フッ素結合オイルにポリテトラフルオロエチレンを配合してなる潤滑油などの潤滑性や耐劣化性を備えたものであれば如何なるものであって良く、特に、ポリαオレフィンやポリオールエステルなどの合成系炭化水素を基油とする合成油を採用した場合には、優れた粘性、潤滑性、耐劣化性を発揮して、ブシュの内部に形成された気孔に目詰まりを生じさせることなくブシュの気孔から長期に亘って連結ピンとブシュとの間に滲み出て摺接摩耗を抑制できる。
【００２５】
また、ブシュの内周面と連結ピンの外周面との間に潤滑油を供給する油溜り溝が連結ピンの外周面に刻設されている場合には、より多くの潤滑油を封入して連結ピンとブシュとの間に潤滑油を継続的に供給するので、連結ピンの外周面とブシュの内周面の摺動摩耗を長期に亘って低減してチェーン摩耗伸びをより一層防止することができる。
【実施例】
【００２６】
以下、本発明の第１実施例である無給油多列チェーン１００を、図面に基づいて説明する。
ここで、図１は、本発明の第１実施例である無給油多列チェーンの全体概要図であり、図２は、図１に示す無給油多列チェーンの連結状態を示す斜視図であり、図３は、図１に示す無給油多列チェーンの一部断面図である。
【００２７】
まず、本発明の第１実施例である無給油多列チェーン１００は、大きな動力を伝達するために用いられるチェーンであって、図１乃至図３に示すように、左右一対の内プレート１１０に前後一対のローラ１２０を回転自在に外嵌した前後一対のブシュ１３０を圧入嵌合してなる２組の内リンクユニット１４０がチェーン幅方向に隣接配置した２枚の中間プレート１５０を介して並列配置されているとともに、このような内リンクユニット１４０がチェーン幅方向の最も外側に配置された外プレート１６０の前後一対のピン孔に圧入嵌合する前後一対の連結ピン１７０によりチェーン長手方向に多数連結されている。
そして、ブシュ１３０と連結ピン１７０との間には、潤滑油が封入されている。
【００２８】
また、前述した中間プレート１５０はピン孔を介して連結ピン１７０に圧入嵌合されており、チェーン強度を向上するとともに２枚の中間プレート１５０の間から潤滑油が外部に漏出することを防止するようになっている。
【００２９】
そこで、本実施例の無給油多列チェーン１００が最も特徴とするブシュ１３０、外プレート１６０、および中間プレート１５０の具体的な形態について図２および図３により詳しく説明する。
まず、図２および図３に示すように、外プレート１６０には、内側面を凹陥させて、すなわち、凹ませて陥らせた外側面に膨出させたオフセット状態の第１ブシュ軸支用環状凹部１６１が形成されている。
そして、内プレート１１０の外側面から一部突出したブシュ突出端部１３１を第１ブシュ軸支用環状凹部１６１でそれぞれ囲繞支持することで、外プレート１６０の内側面と該外プレート１６０に対向する内プレート１１０の外側面との間に第１油溜り用ラビリンス構造Ｌ１を形成している。
【００３０】
また、図２および図３に示すように、中間プレート１５０には、内側面を凹陥させて、すなわち、凹ませて陥らせた外側面に膨出させたオフセット状態の第２ブシュ軸支用環状凹部１５１が形成されている。
そして、内プレート１１０の外側面から一部突出したブシュ突出端部１３１を第２ブシュ軸支用環状凹部１５１でそれぞれ囲繞支持することで、中間プレート１５０の内側面と該中間プレート１５０に対向する内プレート１１０の外側面との間に第２油溜り用ラビリンス構造Ｌ２を形成している。
【００３１】
なお、本発明の無給油多列チェーン１００で言うところの「オフセット状態」とは、第１ブシュ軸支用環状凹部１６１および第２ブシュ軸支用環状凹部１５１とそれ以外のプレート部分とがずれて段差状を呈している状態を意味している。
また、本発明の無給油多列チェーン１００で言うところの「内プレート１１０の内側面」とは、組み込まれた内リンクユニット１４０の内側に面した側面を意味しており、「内プレート１１０の外側面」とは、組み込まれた内リンクユニット１４０の外側に面した側面を意味している。
また、本発明の無給油多列チェーン１００で言うところの「外プレート１６０の内側面」とは、チェーンの内側に面した側面を意味しており、「外プレート１６０の外側面」とは、チェーンの外側に面した側面を意味している。
また、本発明の無給油多列チェーン１００で言うところの「中間プレート１５０の内側面」とは、最も近接する内リンクユニット１４０側に面した側面を意味しており、「中間プレート１５０の外側面」とは、隣接配置された中間プレート１５０側に面した側面を意味している。
【００３２】
このようにして得られた本実施例の無給油多列チェーン１００は、第１油溜り用ラビリンス構造Ｌ１が、ブシュ突出端部１３１を第１ブシュ軸支用環状凹部１６１で囲繞支持することで形成されているとともに、第２油溜り用ラビリンス構造Ｌ２が、ブシュ突出端部１３１を第２ブシュ軸支用環状凹部１５１で囲繞支持することで形成されている。
したがって、これら第１油溜り用ラビリンス構造Ｌ１および第２油溜り用ラビリンス構造Ｌ２が、複雑に屈曲した形状によって油溜り機能を発揮して、チェーン走行時の周回走行によって生じる遠心力などに起因したブシュ１３０の内周面と連結ピン１７０の外周面との間に封入された潤滑油の外部漏出を抑制するとともに外部塵埃の侵入を抑制するので、ブシュ１３０の内周面と連結ピン１７０の外周面の摩耗損傷を低減してチェーン摩耗伸びを長期に亘って防止できる。
【００３３】
また、第１ブシュ軸支用環状凹部１６１および第２ブシュ軸支用環状凹部１５１が、外プレート１６０および中間プレート１５０の内側面を凹陥させて外側面へ膨出させたオフセット状態で形成されている。
したがって、第１ブシュ軸支用環状凹部１６１および第２ブシュ軸支用環状凹部１５１の断面係数とそれ以外のプレート部分の断面係数とが同程度となるので、第１ブシュ軸支用環状凹部１６１および第２ブシュ軸支用環状凹部１５１を形成することによる外プレート１６０および中間プレート１５０の強度低下を抑制できるとともに、外プレート１６０および中間プレート１５０のプレス打ち抜き加工を行う際に、外プレート１６０および中間プレート１５０の内側面を凹陥させて外側面へ膨出させる形状の金型を用いるだけで、外プレート１６０および中間プレート１５０の打ち抜き加工と第１ブシュ軸支用環状凹部１６１および第２ブシュ軸支用環状凹部１５１の形成加工とを同時に行うことができるので、外プレート１６０および中間プレート１５０の打ち抜き加工とは別途に第１ブシュ軸支用環状凹部１６１および第２ブシュ軸支用環状凹部１５１を形成する研削やミーリング等の機械加工を外プレート１６０および中間プレート１５０に施す必要がなく、チェーンの製造負担を軽減できる。
【００３４】
また、外プレート１６０と内プレート１１０との間および中間プレート１５０と内プレート１１０との間には、従来の多列チェーンのような押圧状態で配置したシール部材を別部品として設けていないので、チェーン稼動時に円滑に屈曲して周回走行するとともにチェーン部品点数の増加を回避できる。
【００３５】
また、従来の多列チェーンでは、シール部材の摺接摩耗を防止して潤滑油の密封性を維持するために、シール部材と接触する外プレートの内側面、中間プレートの内側面、および、内プレートの外側面に表面粗さを小さくする表面仕上げ加工を施す必要があったが、本発明の無給油多列チェーン１００では、従来のような表面仕上げ加工を施す必要がなく、チェーンの製造負担を軽減できる。
【００３６】
また、中間プレート１５０がピン孔を介して連結ピン１７０に圧入嵌合されていることにより、チェーン強度を向上できるとともに２枚の中間プレート１５０の間から潤滑油が外部に漏出することを防止できるなど、その効果は甚大である。
【００３７】
つぎに、本発明の第２実施例である無給油チェーン２００について、図４および図５に基づいて説明する。
まず、本発明の第２実施例である無給油多列チェーン２００は、大きな動力を伝達するために用いられるチェーンであって、図４および図５に示すように、左右一対の内プレート２１０に前後一対のローラ２２０を回転自在に外嵌した前後一対のブシュ２３０を圧入嵌合してなる２組の内リンクユニット２４０がチェーン幅方向に隣接配置した２枚の中間プレート２５０を介して並列配置されているとともに、このような内リンクユニット２４０がチェーン幅方向の最も外側に配置された外プレート２６０の前後一対のピン孔に圧入嵌合する前後一対の連結ピン２７０によりチェーン長手方向に多数連結されている。
そして、ブシュ２３０と連結ピン２７０との間には、潤滑油が封入されている。
【００３８】
また、前述した中間プレート２５０はピン孔を介して連結ピン２７０に圧入嵌合されており、チェーン強度を向上するとともに２枚の中間プレート２５０の間から潤滑油が外部に漏出することを防止するようになっている。
【００３９】
そこで、本実施例の無給油多列チェーン２００が最も特徴とするブシュ２３０、外プレート２６０、および中間プレート２５０の具体的な形態について図４および図５により詳しく説明する。
まず、図４および図５に示すように、外プレート２６０には、外側面を凹陥させて、すなわち、凹ませて陥らせた内側面に膨出させたオフセット状態の第１ブシュ軸支用環状膨出部２６１が形成されている。
そして、内プレート２１０の外側面から一部突出したブシュ突出端部２３１を第１ブシュ軸支用環状膨出部２６１でそれぞれ囲繞支持することで、外プレート２６０の内側面と該外プレート２６０に対向する内プレート２１０の外側面との間に第１油溜り用ラビリンス構造Ｌ１を形成している。
【００４０】
また、図４および図５に示すように、中間プレート２５０には、外側面を凹陥させて、すなわち、凹ませて陥らせた内側面に膨出させたオフセット状態の第２ブシュ軸支用環状膨出部２５１が形成されている。
そして、内プレート２１０の外側面から一部突出したブシュ突出端部２３１を第２ブシュ軸支用環状膨出部２５１でそれぞれ囲繞支持することで、中間プレート２５０の内側面と該中間プレート２５０に対向する内プレート２１０の外側面との間に第２油溜り用ラビリンス構造Ｌ２を形成している。
【００４１】
なお、本発明の無給油多列チェーン２００で言うところの「オフセット状態」とは、第１ブシュ軸支用環状膨出部２６１および第２ブシュ軸支用環状膨出部２５１とそれ以外のプレート部分とがずれて段差状を呈している状態を意味している。
また、本発明の無給油多列チェーン２００で言うところの「内プレート２１０の内側面」とは、組み込まれた内リンクユニット２４０の内側に面した側面を意味しており、「内プレート２１０の外側面」とは、組み込まれた内リンクユニット２４０の外側に面した側面を意味している。
また、本発明の無給油多列チェーン２００で言うところの「外プレート２６０の内側面」とは、チェーンの内側に面した側面を意味しており、「外プレート２６０の外側面」とは、チェーンの外側に面した側面を意味している。
また、本発明の無給油多列チェーン２００で言うところの「中間プレート２５０の内側面」とは、最も近接する内リンクユニット２４０側に面した側面を意味しており、「中間プレート２５０の外側面」とは、隣接配置された中間プレート２５０側に面した側面を意味している。
【００４２】
このようにして得られた本実施例の無給油多列チェーン２００は、第１油溜り用ラビリンス構造Ｌ１が、ブシュ突出端部２３１を第１ブシュ軸支用環状膨出部２６１で囲繞支持することで形成されているとともに、第２油溜り用ラビリンス構造Ｌ２が、ブシュ突出端部２３１を第２ブシュ軸支用環状膨出部２５１で囲繞支持することで形成されている。
したがって、これら第１油溜り用ラビリンス構造Ｌ１および第２油溜り用ラビリンス構造Ｌ２が、複雑に屈曲した形状によって油溜り機能を発揮して、チェーン走行時の周回走行によって生じる遠心力などに起因したブシュ２３０の内周面と連結ピン２７０の外周面との間に封入された潤滑油の外部漏出を抑制するとともに外部塵埃の侵入を抑制するので、ブシュ２３０の内周面と連結ピン２７０の外周面の摩耗損傷を低減してチェーン摩耗伸びを長期に亘って防止できる。
【００４３】
また、第１ブシュ軸支用環状膨出部２６１および第２ブシュ軸支用環状膨出部２５１が、外プレート２６０および中間プレート２５０の外側面を凹陥させて内側面へ膨出させたオフセット状態で形成されている。
したがって、第１ブシュ軸支用環状膨出部２６１および第２ブシュ軸支用環状膨出部２５１の断面係数とそれ以外のプレート部分の断面係数とが同程度となるので、第１ブシュ軸支用環状膨出部２６１および第２ブシュ軸支用環状膨出部２５１を形成することによる外プレート２６０および中間プレート２５０の強度低下を抑制できるとともに、外プレート２６０および中間プレート２５０のプレス打ち抜き加工を行う際に、外プレート２６０および中間プレート２５０の外側面を凹陥させて内側面へ膨出させる形状の金型を用いるだけで、外プレート２６０および中間プレート２５０の打ち抜き加工と第１ブシュ軸支用環状膨出部２６１および第２ブシュ軸支用環状膨出部２５１の形成加工とを同時に行うことができるので、外プレート２６０および中間プレート２５０の打ち抜き加工とは別途に第１ブシュ軸支用環状膨出部２６１および第２ブシュ軸支用環状膨出部２５１を形成する研削やミーリング等の機械加工を外プレート２６０および中間プレート２５０に施す必要がなく、チェーンの製造負担を軽減できる。
【００４４】
また、外プレート２６０と内プレート２１０との間および中間プレート２５０と内プレート２１０との間には、従来の多列チェーンのような押圧状態で配置したシール部材を別部品として設けていないので、チェーン稼動時に円滑に屈曲して周回走行するとともにチェーン部品点数の増加を回避できる。
【００４５】
また、従来の多列チェーンでは、シール部材の摺接摩耗を防止して潤滑油の密封性を維持するために、シール部材と接触する外プレートの内側面、中間プレートの内側面、および、内プレートの外側面に表面粗さを小さくする表面仕上げ加工を施す必要があったが、本発明の無給油多列チェーン２００では、従来のような表面仕上げ加工を施す必要がなく、チェーンの製造負担を軽減できる。
【００４６】
また、中間プレート２５０がピン孔を介して連結ピン２７０に圧入嵌合されていることにより、チェーン強度を向上できるとともに２枚の中間プレート２５０の間から潤滑油が外部に漏出することを防止できるなど、その効果は甚大である。
【図面の簡単な説明】
【００４７】
【図１】本発明の第１実施例である無給油多列チェーンの全体概要図。
【図２】図１に示す無給油多列チェーンの連結状態を示す斜視図。
【図３】図１に示す無給油多列チェーンの一部断面図。
【図４】本発明の第２実施例である無給油多列チェーンの連結状態を示す斜視図。
【図５】図４に示す無給油多列チェーンの一部断面図。
【符号の説明】
【００４８】
１００、２００  ・・・  無給油多列チェーン
１１０、２１０  ・・・  内プレート
１２０、２２０  ・・・  ローラ  
１３０、２３０  ・・・  ブシュ
１３１、２３１  ・・・  ブシュ突出端部
１４０、２４０  ・・・  内リンクユニット
１５０、２５０  ・・・  中間プレート
１５１          ・・・  第２ブシュ軸支用環状凹部
２５１          ・・・  第２ブシュ軸支用環状膨出部
１６０、２６０  ・・・  外プレート
１６１          ・・・  第１ブシュ軸支用環状凹部
２６１          ・・・  第１ブシュ軸支用環状膨出部
１７０、２７０  ・・・  連結ピン
Ｌ１            ・・・  第１油溜り用ラビリンス構造
Ｌ２            ・・・  第２油溜り用ラビリンス構造
【要約】
【課題】プレート強度の低下とチェーン部品点数の増加を回避しつつチェーン製造負担を大幅に軽減するとともに、潤滑油の漏出と外部塵埃の侵入を防止する無給油多列チェーンを提供すること。
【解決手段】内プレート１１０とブシュ１３０と中間プレート１５０と外プレート１６０と連結ピン１７０とで構成され、ブシュ１３０と連結ピン１７０との間に潤滑油を封入し、潤滑油を外プレート１６０側で封止する第１油溜り用ラビリンス構造Ｌ１が、外プレート１６０の内側面と該外プレート１６０に対向する内プレート１１０の外側面との間に形成され、潤滑油を中間プレート１５０側で封止する第２油溜り用ラビリンス構造Ｌ２が、中間プレート１５０の内側面と該中間プレート１５０に対向する内プレート１１０の外側面との間に形成されている無給油多列チェーン１００。
【選択図】図１【図１】
0004245641.tif 000002
【図２】
0004245641.tif 000003
【図３】
0004245641.tif 000004
【図４】
0004245641.tif 000005
【図５】
0004245641.tif 000006